(57)【要約】【課題】  従来の再封式容器は、袋状で内容物がつぶれてしまうおそれがあった。また、蝶番部の強度を上げようとすると、蓋も硬くなってしまい、開封時に蓋が摘みにくくなるといった問題があった。【解決手段】  本願発明に係る再封式容器はトレイと、トップフィルムと、リシールラベルとを備え、該トレイの開口部は該トップフィルムによって覆われ、切込部が該トップフィルムに施され、該切込部によって該トップフィルムに開閉部と蝶番部が形成され、該リシールラベルは該トップフィルムに剥離可能かつ再貼着可能に貼着され、該切込部全体と該蝶番部とが該リシールラベルに覆われ、該リシールラベルが外蓋として機能し、該開閉部が内蓋として機能するようにした。【選択図】図１
2006341875.tif 000002
【特許請求の範囲】
【請求項１】
トレイと、トップフィルムと、リシールラベルとを備え、
該トレイの開口部は該トップフィルムによって覆われ、
切込部が該トップフィルムに施され、
該切込部によって該トップフィルムに開閉部と蝶番部が形成され、
該リシールラベルは該トップフィルムに剥離可能かつ再貼着可能に貼着され、
該切込部全体と該蝶番部とが該リシールラベルに覆われ、
該リシールラベルが外蓋として機能し、
該開閉部が内蓋として機能する、再封式容器。
【請求項２】
該外蓋は、該内蓋の該蝶番部の位置を超えて剥離可能である請求項１記載の再封式容器。
【請求項３】
該切込部の形状が略コの字形である、請求項１または２記載の再封式容器。
【請求項４】
該切込部の両端部が、曲線的にかつ該開閉部の内側に向かって折り返された、請求項１乃至３のいずれか一の項に記載の再封式容器。
【請求項５】
該切込部は該トップフィルムを貫通しない連続的な一定の深さの溝である請求項１乃至４のいずれか一の項に記載の再封式容器。
【発明の詳細な説明】
【技術分野】
【０００１】
本発明は再封式容器に関するものである。
【背景技術】
【０００２】
従来、再封式容器は、ウエットティッシュ等の容器に多く使用されている。この再封式容器が包装容器であれば、例えばウエットティッシュを別の容器に移さなくても、ウエットティッシュに染み込んだ液体を揮発させずに保管することができる。
【０００３】
再封式容器は、一般的に図４に示す構造を有している。この再封式容器１０１は、袋状の容器本体１０２に、再貼着可能な外蓋１０４が開閉するものである。
【０００４】
ところが、このような容器本体が袋状の再封式容器は、再封式容器を重ねると内容物がつぶれてしまうおそれがある。そのため、ウエットティッシュのようにある程度つぶれてもよい内容物には使用できるが、ハム等の食品のようにつぶれてはいけない内容物には使用することはできなかった。
【０００５】
また、図４の再封式容器は、外蓋１０４が固定部１０５で固定されているため、固定部１０５の縁に力が集中しやすく、蝶番部１０６が破れてしまうことがあった。一方、破れを防ごうと外蓋１０４を硬くすると、開封の際に外蓋１０４が摘みにくくなってしまっていた。
【０００６】
これに対して、特許文献１で開示されている図５に示す再封式容器２０１は、内蓋２０３が完全には分離しないため、蝶番部２０６が２重構造となっている。この構造によれば、内蓋２０３の材料を硬くして蝶番２０６の強度を上げ、一方で外蓋２０４の材料を軟らかくして摘みやすくできるようにも思える。ところが、外蓋２０４は固定部２０５で固定されているため、結局は固定部２０５の縁に亀裂が入りやすく、外蓋２０４を硬くしなければならなかった。
【０００７】
以上のように、従来の再封式容器は内容物がつぶれやすく、また、蝶番部の強度を上げようと蝶番部を硬くすると、開封時に蓋が摘みにくくなるという問題があった。
【特許文献１】実用新案出願公開昭６３−９１４６０
【発明の開示】
【発明が解決しようとする課題】
【０００８】
本発明では、内容物がつぶれにくく、蝶番部が破れにくく、開封時に蓋が摘みやすい再封式容器を提供することを課題とする。
【課題を解決するための手段】
【０００９】
上記課題を解決するため、本願発明に係る再封式容器は、トレイと、トップフィルムと、リシールラベルとを備え、該トレイの開口部は該トップフィルムによって覆われ、切込部が該トップフィルムに施され、該切込部によって該トップフィルムに開閉部と蝶番部が形成され、該リシールラベルは該トップフィルムに剥離可能かつ再貼着可能に貼着され、該切込部全体と該蝶番部とが該リシールラベルに覆われ、該リシールラベルが外蓋として機能し、該開閉部が内蓋として機能するものとした（請求項１）。
【００１０】
これにより、内容物に力がかかりにくく、また、蝶番部が２重の構造になる。
【００１１】
また、該外蓋は該内蓋の該蝶番部の位置を超えて剥離可能としてもよい（請求項２）。
【００１２】
これにより、外蓋の蝶番部にはせん断力が働きにくくなり、リシールラベルの材料として軟らかいものを使用できる。
【００１３】
さらに、該切込部の形状を略コの字形としてもよく（請求項３）、該切込部の両端部を曲線的にかつ該開閉部の内側に向かって折り返してもよく（請求項４）、該切込部は該トップフィルムを貫通しない連続的な一定の深さの溝としてもよい（請求項５）。
【発明の効果】
【００１４】
本願発明によれば、内容物がつぶれにくく、蝶番部が破れにくく、開封時に蓋が摘みやすい再封式容器を提供することができる。
【発明を実施するための最良の形態】
【００１５】
本願発明を実施するための最良の形態について、図を参照しながら以下に説明する。
【００１６】
まず、本願発明にかかる再封式包装容器の構造について図１を参照しつつ詳細に説明する。図１（ａ）は再封式容器１の斜視図であり、図１（ｂ）は再封式容器１の分解図である。再封式容器１は、トレイ２と、トップフィルム３と、リシールラベル５とを備える。
【００１７】
トレイ２は、任意の深さを有する収容部６とフランジ部７から成る。トレイ２は成形型によって収容部６とフランジ部７とが一体として成形される。収容部６はハム等の内容物が収容される部分である。
【００１８】
トップフィルム３は、トレイ２の開口部を覆う。トップフィルム３には、切込部４が施されている。トップフィルム３とトレイ２とはフランジ部７で融着される。トップフィルム３とトレイ２との融着は、収容部６に内容物が収容された後に行われる。
【００１９】
切込部４は、トップフィルム３を予め決めた形状にせん断するための補助的な役割を果たす。切込部４によってトップフィルム３に開閉部１０と蝶番部１２が形成される。切込部４は等間隔にトップフィルム３に貫通する穴を開けるいわゆるミシン目によって構成されても良いが、本実施例では、切込部４は、トップフィルム３に貫通する穴を開けることなく、連続的な一定の深さの溝によって構成される。切込部４の形状は、略コの字形である。切込部４の両端部８は、曲線的にかつ開閉部１０の内側に向かって折り返されている。切込部４はトップフィルム３がトレイ２に融着される前にトップフィルム３に施される。
【００２０】
リシールラベル５は、トップフィルム３に剥離可能かつ再貼着可能に貼着される。トップフィルム３は、フランジ部７またはその付近までリシールラベル５により覆われる。これにより、切込部４全体と蝶番部１２とがリシールラベル５によって覆われる。リシールラベル５は、貼着用の糊によってトップフィルム３に貼着される。ただし、リシールラベル５の隅には、貼着がされない把持部９が設けられる。リシールラベル５のトップフィルム３への貼着は、トップフィルム３に切込部４が施された後トップフィルム３がトレイ２に融着される前に行われる。
【００２１】
再封式容器１が食品の包装や保存に使用される場合は、再封式容器１の材料が食品に害を与えず、かつ、食品から生じる物質により再封式容器１の材料が影響を受けないものとする。例えば、シールラベル５をトップフィルム３に貼着させる糊は、人体に悪影響を及ぼさず合成樹脂の貼着に適したものを使用する。トレイ２の材料は従来食品用包装容器のトレイに使用されている合成樹脂性の材料を使用することができる。トップフィルム３の材料は従来食品用包装器のトップフィルムに使用されている可撓性のある合成樹脂性の材料を使用することができる。リシールラベル５の材料は従来食品用包装容器に貼着されているシールラベルに使用される可撓性のある合成樹脂性の材料を使用することができる。
【００２２】
次に、図２及び図３を参照しつつ、再封式容器１の開封及び再密封の動作について説明する。
【００２３】
図２は、開封途中状態の再封式容器１を表した図である。また、図３は、全開状態の再封式容器１を表した図である。
【００２４】
再封式容器１を未開封の状態から開封する場合は、把持部９を摘みシールラベル５を引き上げる。把持部９はトップフィルムと貼着されていないため、容易に摘むことができる。
【００２５】
シールラベル５を引き上げると、シールラベル５はトップフィルム３に貼着された状態から、把持部９周辺を始点としてトップフィルム３から徐々に剥離される。
【００２６】
シールラベル５の剥離範囲が切込部４に及ぶと、トップフィルム３の切込部４で囲まれた部分は、シールラベル５に貼着し、シールラベル５と共に引き上げられる。そうすると、トップフィルム３の切込部４で囲まれた部分と、その他のトップフィルム３の部分との間に両部分をせん断する力が加わり、トップフィルム３は切込部４でせん断される。
【００２７】
さらにシールラベル５が引き上げられると、トップフィルム３のせん断部分は切込部４に沿って進み、切込部４の起端８に達した時点でせん断の進行が終了する。リシールラベル５とトップフィルム３の切込部４で囲まれた部分とは貼着されているため、トップフィルム３のせん断の進行が終了した時点でリシールラベル５の剥離も終了する。この状態が全開状態である。
【００２８】
一旦切込部４の起端８までトップフィルム３がせん断されると、内蓋１０及び外蓋１１が形成される。つまり、トップフィルム３の切込部４で囲まれた部分が内蓋１０となり、リシールラベル５が外蓋１１となる。また、トップフィルム３の切込部４の両起端８をつなぐ部分が内蓋１０の蝶番部１２となり、この部分と一体に貼着されるリシールラベル５の部分が外蓋１１の蝶番部１３となる。つまり、トップフィルム３とリシールラベル５が一体となって２重の構造の蝶番部１４となる。
【００２９】
リシールラベル５はトップフィルム３から剥離可能となっており、外蓋１１は内蓋１０の蝶番部１２の位置を超えて剥離可能である。
【００３０】
再封式容器１を再密封する場合は、リシールラベル５をトップフィルム３に貼着させる。リシールラベル５の内蓋１０と貼着していない部分の貼着用の糊によって、トップフィルム３と再貼着することができる。内蓋１０周辺が完全に貼着することにより、再封式容器１を密封することができる。
【００３１】
次に本実施形態の構造によって得られる効果について説明する。
【００３２】
本実施例に係る再封式容器１は、トレイ２は、任意の深さを有する収容部６とフランジ部７から成り、トップフィルム３により開口部が覆われる。このような構造を有することにより、常に収容部６に一定の空間が確保され、再封式容器１を重ねても収容部６内の内容物はつぶれにくくなる。よって、本実施例に係る再封式容器１は、ハム等のつぶれてはいけない内容物にも使用することができる。
【００３３】
本実施例に係る蝶番部１４は、内蓋１０の蝶番部１２と外蓋１１の蝶番部１３との２つの蝶番部から構成されている。そのため、トップフィルム３（内蓋１０）を硬くするのみで蝶番部１４全体としては十分な強度を有することができる。
【００３４】
本実施例に係る内蓋１０の蝶番部１２の端部、つまり切込部４の両端部８の形状は、曲線的にかつ開閉部の内側に向かって折り返されている。このような形状を有していることにより、蝶番部１２の端部８に力がかかっても力を逃がすことができる。また、端部８の部分はリシールラベル５に貼着され、２重の構造になっている。このような構造により、蝶番部１２の端部８にわずかに亀裂が入ったとしても、リシールラベル５が亀裂部分周辺に貼着しているため、亀裂部分に力がかかるのを防ぎ、亀裂の進行を止めることができる。
【００３５】
本実施例に係る外蓋１１は、内蓋１０の蝶番部１２の位置を超えて剥離可能な構造である。このような構造を有するため、上蓋１１の蝶番部１３の端部にせん断応力がかかった場合には、外蓋１１は、内蓋１０の蝶番部１２の位置を超えて剥離し、引張り応力に変換することができる。つまり、蝶番部１３には亀裂させる力が入りにくくなる。これにより、外蓋１１（リシールラベル５）は軟らかい材料を使用することができる。
【００３６】
本実施例に係る再封式容器１は、フランジ部７またはその近傍までリシールラベル５が貼着されている。リシールラベル５がトップフィルム３の中央付近にのみ貼着されている場合や、容器本体がトレイ状ではなく袋状になっている場合は、リシールラベル５がやわらかい部分に貼着される。そのため、十分にリシールラベル５を押さえることができず、再密封の際に十分な密封ができない場合がある。ところが、本実施例ではリシールラベル５がトップフィルム３中央付近等に比べて硬いフランジ部７またはその近傍にまで貼着される。よって、十分にリシールラベル５を押さえてトップフィルム３に貼着させることができ、確実に密封することができる。
【００３７】
本実施例に係る切込部４は、トップフィルム３に貫通する穴を開けることなく、連続的な一定の深さの溝によって構成される。このような構成を採ることにより、再封式容器１が未開封の場合であれば、リシールラベル５のシールが十分でない場合であっても再封式容器１を完全に密封することができる。再封式容器の未開封期間が長いような場合には有効である。
【００３８】
以上、本願発明を実施するための最良の形態について、図を参照しながら説明した。
【図面の簡単な説明】
【００３９】
【図１】図１は、本実施例に係る再封式容器の図であって、（ａ）は再封式容器の斜視図であり、（ｂ）は再封式容器の分解図である。
【図２】図２は、開封途中状態の再封式容器の斜視図である。
【図３】図３は、全開状態の開封式容器の斜視図である。
【図４】図４は、一般的な再封式容器の斜視図である。
【図５】図５は、従来の蝶番部が２重になっている再封式容器の斜視図である。
【符号の説明】
【００４０】
１  再封式容器
２  トレイ
３  トップフィルム
４  切込部
５  リシールラベル
６  収容部
７  フランジ部
８  端部
９  把持部
１０  内蓋
１１  外蓋
１２、１３、１４  蝶番部
１０１、２０１  再封式容器
１０２、２０２  容器本体
１０３、２０３  内蓋
１０４、２０４  外蓋
１０５、２０５  固定部
１０６、２０６、２０７  蝶番部  
【図１】
2006341875.tif 000003
【図２】
2006341875.tif 000004
【図３】
2006341875.tif 000005
【図４】
2006341875.tif 000006
【図５】
2006341875.tif 000007